(57)【特許請求の範囲】
【請求項１】
屋根下地材上に、屋根材および屋根上物品を順次配設してなる屋根構造であって、
前記屋根下地材と前記屋根材との間、および該屋根材と前記屋根上物品との間にそれぞれ、粘着剤層を有してなり、
前記屋根下地材と前記屋根材との間の粘着剤層は、前記屋根下地材の上面に粘性ゴムシート材よりなる防水シートで形成した粘着剤面と、前記屋根材の下面に形成した粘着剤面との接着により形成され、
前記屋根材と前記屋根上物品との間の粘着剤層は、前記屋根材の上面に形成した粘着剤面と、前記屋根上物品の下面に形成した粘着剤面との接着により形成されていることを特徴とする屋根構造。
【発明の詳細な説明】
【技術分野】
【０００１】
本発明は、屋根下地材上に、屋根材および屋根上物品を順次配設してなる屋根構造に関する。
【背景技術】
【０００２】
従来、屋根上に設置されるソーラーパネルの施工方法としては、既設の屋根材上に専用の架台を取り付け、その上にソーラーパネルを配設する方法が一般的に採られている。また、簡易な施工方法として、ソーラーパネル機能付きの屋根材を屋根下地材上に葺くことでソーラー屋根を形成する方法も提案されている（特許文献１参照）。
【先行技術文献】
【特許文献】
【０００３】
【特許文献１】特開２００３−２７６７４号公報
【発明の概要】
【発明が解決しようとする課題】
【０００４】
しかしながら、上記一般的方法では、設置のために多くの架台を必要とするうえ、施工が大掛かりとなるし、架台の取り付けをビス止めで行うため、ビス孔により漏水が発生するおそれもある。また、特許文献１に記載の屋根材を用いれば、新築の際には簡易な施工が望めるが、既設の屋根の上に施工する場合、ソーラーパネルの配設対象となる箇所の屋根材を除去して、新たなソーラーパネル機能付きの屋根材を取り付けなければならず、簡易に施工することはできない。
【０００５】
本発明は、このような問題を解決すべく提案されたもので、その目的は、ソーラーパネル等の屋根上物品を屋根上に簡易、迅速に施工でき、かつ漏水リスクを低くできる屋根構造を提供することにある。
【課題を解決するための手段】
【０００６】
上記目的を達成するために、請求項１に記載の屋根構造は、屋根下地材上に、屋根材および屋根上物品を順次配設してなる屋根構造であって、屋根下地材と屋根材との間、および屋根材と屋根上物品との間にそれぞれ、粘着剤層を有してなり、屋根下地材と屋根材との間の粘着剤層は、屋根下地材の上面に粘性ゴムシート材よりなる防水シートで形成した粘着剤面と、屋根材の下面に形成した粘着剤面との接着により形成され、屋根材と屋根上物品との間の粘着剤層は、屋根材の上面に形成した粘着剤面と、屋根上物品の下面に形成した粘着剤面との接着により形成されていることを特徴とする。
【０００７】
（削除）
【０００８】
（削除）
【発明の効果】
【０００９】
請求項１に記載の屋根構造によれば、屋根下地材と屋根材、および屋根材と屋根上物品を粘着剤層で固着させた構成であるため、ビス止めをする必要がなく、漏水リスクを軽減することができる。また、屋根上物品を屋根材上に直接配設する構造であるため、架台の設置の必要がなく、簡易、迅速に屋根上物品を施工でき、費用の軽減も図れる。
【００１０】
また、屋根下地材の上面に形成した粘着剤面と、屋根材の下面に形成した粘着剤面とを接着する構成であるため、両粘着剤面同士の接着により、両部材を強固に固着することができる。屋根下地材の粘着剤面を粘着性を有した防水シートで形成することで、固着性が高められる。
【００１１】
さらに、屋根材の上面に形成した粘着剤面と、屋根上物品の下面に形成した粘着剤面とを接着する構成であるため、両粘着剤面同士の接着により、両部材を強固に固着することができる。
【図面の簡単な説明】
【００１２】
【図１】（ａ）は本発明の一実施形態に用いられる屋根材の表面斜視図、（ｂ）は同屋根材の裏面斜視図である。
【図２】同実施形態に用いられる屋根上物品（ソーラーパネル）の部分斜視図である。
【図３】（ａ）（ｂ）は、屋根上物品の施工手順および屋根構造を示した断面図である。
【発明を実施するための形態】
【００１３】
以下に、本発明の実施の形態について、添付図面を参照しながら説明する。
【００１４】
本実施形態に係る屋根構造は、野地板等の屋根下地材１上に、屋根材２および屋根上物品（ソーラーパネル３）を順次配設してなる屋根構造である。
【００１５】
本実施形態の屋根材２は、ステンレス板、トタン板またはブリキ板を基材とした金属屋根材であり、図１（ａ）（ｂ）に示すように、平面視矩形に形成され、上端には表面方向へ鋭角に屈曲された上側ハゼ部２ａが形成され、下端には裏面方向へ鋭角に屈曲された下側ハゼ部２ｂが形成されている。なお、基材として樹脂材を用いてもよい。
【００１６】
この上側ハゼ部２ａ、下側ハゼ部２ｂは、屋根下地材１上で、上下方向（棟軒方向）に他の屋根材２と連結するための連結部を構成する部位である。
【００１７】
また、屋根材２の図１（ａ）中の右端部には、左右方向に連設される他の屋根材２と重ねて連設するための重ね部２ｃが段落ち形成されている。
【００１８】
屋根材２の裏面には、シート状の粘着剤が貼着されて、粘着剤面２ｄが形成されている。なお、上側ハゼ部２ａ、下側ハゼ部２ｂの少なくとも一方および重ね部２ｃにも粘着剤面が形成されていることが望ましい。
【００１９】
裏面の粘着剤面２ｄとして貼着される粘着剤シートは、耐薬品性、耐オゾン性、耐熱劣化性にすぐれた非加硫ブチルゴム等の粘性ゴムにて製されたものを用いることが望ましいが、他の粘着剤で形成されたものであってもよい。
【００２０】
一方、屋根上物品としては、本実施形態ではアモルファスシリコン型太陽電池よりなるソーラーパネル３が用いられている。特に、図２に示したソーラーパネル３は、図示したように柔軟性を有したシート状パネルであり、曲面の屋根にも適用を可能としたものである。
【００２１】
また、シート状のソーラーパネル３としては、セルのすべてがバイパス・ダイオードによって並列に接続したものを用いることが、朝、夕の斜めの光、曇りや雨の日、反射光などでも効率よく発電できるので望ましい。さらに、発電能力を高めるために、紫外線から赤外線まで波長の異なる光を幅広く吸収できる、材質の異なる層を重ね合わせて形成されたものを用いることが望ましい。
【００２２】
このソーラーパネル３は、屋根材２の寸法に合致したものが用いられ、その裏面には、屋根材２の粘着剤面２ｄと同様の材料よりなる粘着剤面３ａが形成されている。
【００２３】
屋根材２は、図３（ａ）（ｂ）に示したように、屋根下地材１の上面全体に下地処理剤を介して貼着した防水シート１ｂの上に、軒から棟へと順次葺かれる。この防水シート１ｂは屋根材２の粘着剤面２ｄと同種のブチルゴムで製された粘性ゴムシート材であり、その表裏面は粘着性を有し、貼着した防水シート１ｂが屋根下地材１の粘着剤面として構成される。なお、図３（ｂ）の拡大断面図中の１ａは下地処理剤により形成されたプライマー層である。
【００２４】
本実施形態に係る屋根構造は、軒側の屋根材２の上側ハゼ部２ａに、裏面に粘着剤面２ｄを形成した屋根材２の下側ハゼ部２ｂをハゼ結合させて、その屋根材２を屋根下地材１上に形成した防水シート１ｂの上に貼着し、さらに、その屋根材２の上にシート状の粘着剤を貼着して粘着剤面２ｅを形成したうえで、その上に、裏面に粘着剤面３ａを形成したソーラーパネル３を貼着して構成されている。
【００２５】
こうして、図３（ｂ）の拡大断面図に示すように、屋根下地材１と屋根材２との間については、粘性ゴムシート材よりなる防水シート１ｂと、それと同種のブチルゴム素材よりなる粘着剤面２ｄとが相互に固着させることで粘着剤層５が形成される。また、屋根材２とソーラーパネル３との間についても、同種のブチルゴム素材よりなる粘着剤面２ｅ、３ａが相互に固着させることで粘着剤層６が形成される。
【００２６】
上記の粘着剤面付きの屋根材２および粘着剤面付きのソーラーパネル３は、あらかじめ剥離紙を貼り付けた状態で準備しておけばよく、ソーラーパネル３の施工において、それらの部材を剥離紙を剥がして使用すれば、簡易な施工が行える。また、表面にあらかじめ剥離紙付きの粘着剤面を有した屋根材を用いてもよい。
【００２７】
このような屋根構造によれば、屋根下地材１と屋根材２、および屋根材２とソーラーパネル３を粘着剤層５、６で固着させた構成であるため、ビス止めをする必要がなく、漏水リスクを軽減することができる。
【００２８】
さらに、本実施形態では、朝、夕の斜めの光、曇りや雨の日の光、反射光などでも効率よく発電できるとされるシート状のソーラーパネル３を用いているので、本屋根構造を、漏水保証を問われる、中、大規模の建物に適用することで、大きな効果が得られ、特に陸屋根を有した建物に適用すれば効果は大きい。
【００２９】
また、本実施形態のように、屋根材２の粘着剤面２ｄと、屋根下地材１の防水シート１ｂにより形成された粘着剤面とを相互固着させることが屋根材２を強固に固着するうえで望ましく、特に同素材の粘着剤同士を相互固着させることで、素材間結合力が高められ、ひいては防水効果も高められる。
【００３０】
また、この屋根構造はソーラーパネル３を屋根材２上に粘着剤層６を介して直接配設する構造であるため、架台の設置の必要がなく、簡易かつ迅速にソーラーパネル３を屋根上に施工でき、費用も軽減できる。特に、シート状のソーラーパネル３を用いれば、曲面にも対応でき、種々の屋根上面にソーラーパネル３を設置することができる。
【００３１】
以上では、本発明の実施形態として、同種の素材よりなる粘着剤（または防水シート１ｂ）を相互に固着させて粘着剤層５、６を形成したものを示したが、相互固着によらず屋根下地材１、屋根材２間および屋根材２、ソーラーパネル３間をそれぞれ１層の粘着剤層で固定することもできる。たとえば、粘着性を有さない防水シートを用いて、その上に、粘着剤面２ｄを裏面に有した屋根材２を配することもできる。
【００３２】
また、あらかじめ剥離紙付きの粘着剤面を有した屋根材２、ソーラーパネル３を準備しておけば、屋根上で粘着剤面の形成作業がいっさい不要となり、簡易かつ迅速な施工を実現することができる。
【００３３】
以上の実施形態では、屋根上物品として柔軟性のあるソーラーパネル３を例示したが、他の屋根上物品にも適用できることは言うまでもない。
【００３４】
たとえば、屋根上物品として、薄膜系のソーラーパネルや、結晶シリコン系太陽電池よりなるソーラーパネルを設置するための架台も適用が可能であり、その他、種々の物品を屋根上に設置するための架台、フレームや屋根上に設置される緑化トレイ等の物品も適用が可能である。
【符号の説明】
【００３５】
１      屋根下地材
１ａ      プライマー層
１ｂ      防水シート（粘着剤面）
２      屋根材
２ａ      上側ハゼ部
２ｂ      下側ハゼ部
２ｃ      重ね部
２ｄ      粘着剤面
２ｅ      上側の粘着剤面
３      ソーラーパネル
３ａ      粘着剤面
５、６      粘着剤層
【図１】
0005607090.tif 000002
【図２】
0005607090.tif 000003
【図３】
0005607090.tif 000004